(57)【要約】【課題】閉栓時の指掛かりを悪くすることで、閉栓時における締め付け過ぎを抑制することができる。【解決手段】計量部の筒内に備えられた周壁部と、口部に対して回転操作によって係合可能なキャップ側螺合筒部と、周壁部のうち蓋部側の外周を覆う外殻部２３とを備え、キャップ側螺合筒部２２は、係合により本体部を口部に対して固定した際に周壁部のうち蓋部側の端が口部から容器の外方に突出され、外殻部２３が、周壁部の容器の外方に突出した部位のうち一部を口部の周方向でキャップ外方に露出させた切欠部２７が、本体部の筒状の中心軸を挟んで対向して設けられ、双方の切欠部２７には、互いに平行に延在し、外殻部２３のキャップ周方向で開栓側と閉栓側のそれぞれに、開栓側指掛り面２８Ｂ及び閉栓側指掛り面２８Ａが形成され、閉栓側指掛り面２８Ａには、ローレット状の突起２９（２９Ａ、２９Ｂ）が形成されたキャップを提供する。【選択図】図２
2015120520.tif 000002
【特許請求の範囲】
【請求項１】
容器本体の口部に対して装着可能に構成されてなるキャップであって、
有蓋筒状の本体部と、
前記本体部の前記有蓋筒状の筒内に備えられた有蓋筒状の周壁部と、
前記本体部に備えられ、前記口部に対して回転操作によって係合可能なように構成されてなる回転係合部と、
前記周壁部のうち蓋部側の外周を覆う外殻部と、
を備え、
前記回転係合部は、前記係合により前記本体部を前記口部に対して固定した際に前記周壁部のうち蓋部側の端が前記口部から前記容器の外方に突出するよう構成され、前記外殻部が、前記周壁部の前記容器の外方に突出した部位のうち一部を前記口部のキャップ周方向でキャップ外方に露出させるように設けられた切欠部を有し、
前記切欠部が、前記本体部の筒状の中心軸を挟んで対向して設けられ、
双方の該切欠部には、前記外殻部のキャップ周方向で開栓側と閉栓側のそれぞれに、開栓側指掛り面及び閉栓側指掛り面が形成され、
前記閉栓側指掛り面には、ローレット状の突起が形成されていることを特徴とするキャップ。
【請求項２】
前記突起は、突出高さが０．５ｍｍ以上、突出頂点の曲率半径が０．５ｍｍ以下、かつ裾幅が１ｍｍ以下であることを特徴とする請求項１に記載のキャップ。
【請求項３】
前記突起は、前記閉栓側指掛り面の前記外殻部との間の境界稜線部に設けられていることを特徴とする請求項１又は２に記載のキャップ。
【請求項４】
前記閉栓側指掛り面は、キャップ周方向で開栓側指掛り面側の第１指掛り面と、前記外殻部側の第２指掛り面とを有し、
該第２指掛り面と前記外殻部との第１境界部は、前記第１指掛り面と前記第２指掛り面との第２境界部よりもキャップ周方向の閉栓側に位置し、
前記突起の少なくとも一部は、前記第２指掛り面に形成されていることを特徴とする請求項１又は２に記載のキャップ。
【請求項５】
前記第２指掛り面は、曲率半径で７ｍｍ以上の曲面をなしていることを特徴とする請求項４に記載のキャップ。
【発明の詳細な説明】
【技術分野】
【０００１】
本発明は、容器本体の口部に着脱可能に装着されるキャップに関する。
【背景技術】
【０００２】
従来、キャップとして、例えば、特許文献１に記載されるように開栓し易くしたものが知られている。また、液体洗剤、液体漂白剤、液体柔軟剤、溶剤等の液状物や、粒状洗剤、粒状漂白剤、粒状調味料等の粉粒物を収納する容器では、容器本体の口部にキャップを螺合により着脱可能に装着し、このキャップの着脱によって口部を開閉させる。前記キャップの中には、有蓋筒状の計量部の外周に螺合筒部を配置し、計量部における螺合筒部よりも上方（容器外方）に位置する周壁部を外殻部で覆って二重構造としたものがあり、さらには二重構造外縁部に相対に切欠部を設けることで、開栓動作時の指掛りを改善し、開け易さを目指しているものもある。
【先行技術文献】
【特許文献】
【０００３】
【特許文献１】特開２００８−３０８２３号公報
【発明の概要】
【発明が解決しようとする課題】
【０００４】
しかしながら、従来の容器のキャップ形状では、開栓時のみならず、閉栓時においてもトルクを発揮させ易くなるため、使用後の閉栓時に過大に螺合させてしまうおそれがあった。そのため、その後に使用するときに開栓し難くなる場合があり、その点で改善の余地があった。
【０００５】
本発明は、このような事情に鑑みてなされたものであって、閉栓時の指掛かりを悪くすることで、閉栓時における締め付け過ぎを抑制することができるキャップを提供することを目的とする。
【課題を解決するための手段】
【０００６】
上記目的を達成するため、本発明に係るキャップでは、容器本体の口部に対して装着可能に構成されてなるキャップであって、有蓋筒状の本体部と、前記本体部の前記有蓋筒状の筒内に備えられた有蓋筒状の周壁部と、前記本体部に備えられ、前記口部に対して回転操作によって係合可能なように構成されてなる回転係合部と、前記周壁部のうち蓋部側の外周を覆う外殻部と、を備え、前記回転係合部は、前記係合により前記本体部を前記口部に対して固定した際に前記周壁部のうち蓋部側の端が前記口部から前記容器の外方に突出するよう構成され、前記外殻部が、前記周壁部の前記容器の外方に突出した部位のうち一部を前記口部のキャップ周方向でキャップ外方に露出させるように設けられた切欠部を有し、前記切欠部が、前記本体部の筒状の中心軸を挟んで対向して設けられ、双方の該切欠部には、前記外殻部のキャップ周方向で開栓側と閉栓側のそれぞれに、開栓側指掛り面及び閉栓側指掛り面が形成され、前記閉栓側指掛り面には、ローレット状の突起が形成されていることを特徴としている。
【０００７】
本発明では、容器を使用した後にキャップをキャップ周方向の閉栓側に回して閉める際に、外殻部の閉栓側指掛り面に指が掛る。このとき、閉栓側指掛り面に形成されるローレット状の突起が指に接触することになるので、キャップを強く締めようとすると、指に突起が食い込み閉栓しようとする人に痛みを惹起させることが可能となり、指掛りを悪くすることができる。そのため、キャップの閉じる方向への回転操作がし難くなり、閉栓するときに過大なトルクの入力を防止することができる。つまり、キャップの締め付け過ぎを抑えることができるので、次に使用する際において、容易に開栓することができる。
一方で、キャップを開栓側に回して開ける際には、切欠部の開栓側指掛り面に指が掛る。このとき、開栓側指掛り面には、閉栓側指掛り面のように突起が形成されていないので、閉栓するときのように指に突起による痛みが与えられることがなく、十分に指掛りをすることが可能となり、開栓に必要なトルクをキャップに入力することができる。
【０００８】
また、本発明のキャップでは、前記突起は、突出高さが０．５ｍｍ以上、突出頂点の曲率半径が０．５ｍｍ以下、かつ裾幅が１ｍｍ以下であることが好ましい。
【０００９】
このような形状にすることにより、確実な閉栓を行うことができるとともに、キャップの締め過ぎをより確実に防止することができる。
【００１０】
また、本発明のキャップでは、前記突起は、前記閉栓側指掛り面の前記外殻部との間の境界稜線部に設けられていることが好ましい。
【００１１】
本発明では、キャップを閉栓方向に強く回そうとする際に、指が当たり易い境界稜線部の角部に突起が形成されているので、より確実に指に痛みを惹起させることができる。そのため、指掛りを悪くすることができ、閉栓時にキャップに過大なトルクが生じるのを防止することができる。
【００１２】
また、本発明のキャップでは、前記閉栓側指掛り面は、キャップ周方向で開栓側指掛り面側の第１指掛り面と、前記外殻部側の第２指掛り面とを有し、該第２指掛り面と前記外殻部との第１境界部は、前記第１指掛り面と前記第２指掛り面との第２境界部よりもキャップ周方向の閉栓側に位置し、前記突起の少なくとも一部は、前記第２指掛り面に形成されていることが好ましい。
【００１３】
この場合、キャップを強く回そうとする際に、閉栓側に向けて傾く第２指掛り面側に指が当たり易くなる。その指が当たり易い第２指掛り面に突起が形成されているので、より確実に指に痛みを惹起させることができる。そのため、指掛りを悪くすることができ、閉栓時にキャップに過大なトルクが生じるのを防止することができる。
【００１４】
また、本発明のキャップでは、前記第２指掛り面は、曲率半径で７ｍｍ以上の曲面をなしていることが好ましい。
【００１５】
この場合、第２指掛り面が曲率半径で７ｍｍ以上の緩やかな曲面であるので、その第２指掛り面で指が閉栓側に滑り易くなり、しかもその第２指掛り面に突起が形成されているので、より確実に指に痛みを惹起させることができる。そのため、指掛りを悪くすることができ、閉栓時にキャップに過大なトルクが生じるのを防止することができる。
【発明の効果】
【００１６】
本発明に係るキャップによれば、閉栓側指掛り面に形成される突起により閉栓時の指に痛みを惹起させて指掛かりを悪くすることで、閉栓時における過大なトルクの発生を抑え、締め付け過ぎとなるのを抑制することができる。
【図面の簡単な説明】
【００１７】
【図１】本発明の実施の形態よる計量キャップ付き容器のキャップ周辺の軸線に沿う断面図である。
【図２】図１に示す計量キャップ付き容器の計量キャップの斜視図である。
【図３】計量キャップを軸方向から見た平面図である。
【図４】計量キャップの外殻部側を径方向から見た側面図である。
【図５】計量キャップの切欠部側を径方向から見た側面図である。
【図６】閉栓側指掛り面に形成される突起の寸法を説明するための断面図である。
【図７】計量キャップの第１変形例を示す側面図であって、図２に相当する図である。
【図８】計量キャップの第２変形例を示す側面図であって、図２に相当する図である。
【図９】計量キャップの第３変形例を示す側面図であって、図２に相当する図である。
【発明を実施するための形態】
【００１８】
以下、本発明によるキャップの実施の形態について図面を参照して説明する。
【００１９】
図１は、計量キャップ付き容器（容器）１の正立状態の頂部の縦断面図である。計量キャップ付き容器１は、内容物を収納する容器本体２と、容器本体２における頂部に位置する口部３に着脱可能に装着される計量キャップ（キャップ）２０とを備える。容器本体２は、内容物として液体洗剤、液体漂白剤、液体柔軟剤、溶剤等の液状物や、粒状洗剤、粒状漂白剤、粒状調味料等の粉粒物を収納する。容器本体２の口部３は、中空のボトル体４の内口部５と該内口部５に装着されたノズルキャップ６とで構成される。
【００２０】
ボトル体４は、例えばポリエチレン等のオレフィン系合成樹脂を用いたブロー成型により一体形成され、ノズルキャップ６は、例えばポリプロピレン等のオレフィン系合成樹脂を用いた射出成型により一体形成され、計量キャップ２０は、例えばポリプロピレン等のオレフィン系合成樹脂を用いた射出成型により一体形成される。
【００２１】
内口部５は、上下方向に沿う円筒状をなし、ボトル体４の内部空間Ｋ１を前記正立状態の上方に開放させる。この内口部５に概略有底筒状のノズルキャップ６が上方から装着されると共に、このノズルキャップ６に概略有蓋筒状の計量キャップ２０が上方から装着される。内口部５、ノズルキャップ６及び計量キャップ２０は、前記正立状態の上下方向に沿う中心軸線Ｃ１（以下、単に軸線Ｃ１という。）を共有する。以下、軸線Ｃ１に沿う方向をキャップ軸方向、軸線Ｃ１に直交する方向をキャップ径方向、軸線Ｃ１中心の周回方向をキャップ周方向という。また、キャップ軸方向における内口部５の開放側をボトル上方、内口部５のボトル内方側をボトル下方という。
【００２２】
ノズルキャップ６は、内口部５にキャップ周方向の相対回転により螺合される本体側螺合筒部７と、本体側螺合筒部７のボトル上方側の端部からキャップ径方向内側に延びる環状の本体側フランジ部８と、本体側フランジ部８の内周方でボトル下方に膨出して内口部５内に入り込む有底円筒状の挿入部９と、挿入部９におけるボトル下方に凸のＶ字状の底壁部９ａの一方の傾斜面からボトル上方に断面Ｕ字状をなして延びる樋部１０と、本体側フランジ部８のキャップ径方向中間部からボトル上方に起立する円筒状の外口部１１と、本体側フランジ部８のキャップ径方向中間部からボトル下方に垂下して内口部５の内周に密接する円筒状の本体側シールリップ部１２とを有する。図中符号Ｓ１は挿入部９における円筒状の周壁部９ｂと樋部１０の底面との間の隙間を、符号１３は底壁部９ａの一方の傾斜面から最下端部にかけて形成されてボトル体４の内部空間Ｋ１を開口させる開口部をそれぞれ示す。
【００２３】
内口部５の外周には第１ネジ山５ａが螺旋状に突設され、本体側螺合筒部７の内周には第１ネジ山５ａを螺合させる第２ネジ山７ａが螺旋状に突設される。外口部１１の外周には第３ネジ山１１ａが螺旋状に突設され、計量キャップ２０の後述するキャップ側螺合筒部２２の内周には第３ネジ山１１ａを螺合させる第４ネジ山２２ａが螺旋状に突設される。
【００２４】
図１に示すように、計量キャップ２０は、ボトル上方から樋部１０を収容するように挿入部９内に入り込む有蓋円筒状の計量部（本体部）２１と、計量部２１のキャップ軸方向中間部の外周方に離間して設けられる円筒状のキャップ側螺合筒部（回転係合部）２２と、計量部２１の蓋部２１ａの外周縁部から下方に延びてキャップ側螺合筒部２２よりもボトル上方で計量部２１の周壁部２１ｂの外周を覆う外殻部２３と、キャップ側螺合筒部２２のボトル上方側の端部からキャップ径方向内側に延びて計量部２１のキャップ軸方向中間部又は外殻部２３の下端縁部に接続されるキャップ側フランジ部２４と、キャップ側フランジ部２４のキャップ径方向内側からボトル下方に垂下して外口部１１の内周に密接する円筒状のキャップ側シールリップ部２５とを有する（図２参照）。図中符号Ｓ２は計量部２１の周壁部２１ｂと外殻部２３との間の隙間を示す。
【００２５】
図２に示すように、計量部２１の蓋部２１ａは、ボトル上方に凸のドーム状をなし、この蓋部２１ａの外周縁部から外殻部２３がボトル下方に湾曲するように延びる。蓋部２１ａ及び外殻部２３は連続する球状の外面を形成し、キャップ上部に円みのある外観を形成する。軸線Ｃ１と平行な断面（縦断面、図１参照）において、計量部２１内で蓋部２１ａと周壁部２１ｂとがなす角度は鈍角であり、計量部２１内における液状の内容物の液残りを抑える。蓋部２１ａの外面には、計量部２１の開放端部２１ｃを上方に向けて計量キャップ２０を載置する際の脚となる例えば五つの接地凸部２６が形成される。接地凸部２６は、計量キャップ２０を安定して載置できるように少なくとも三つあればよい。計量部２１の開放端部２１ｃはキャップ径方向外側に湾曲し、計量部２１内の液状の内容物を注ぎ出す際の周壁部２１ｂ外面への回り込みを抑える。
【００２６】
図３及び図４に示すように、外殻部２３は、例えばキャップ径方向で相対する二箇所に、それぞれキャップ軸方向と平行な切断面２７ａ，２７ｂに沿うように切り欠かれた切欠部２７を有する。換言すれば、外殻部２３は、計量部２１のボトル上方側におけるキャップ径方向で相対する二箇所にキャップ周方向で互いに離間して設けられる。
【００２７】
両切断面２７ａ，２７ｂは互いに平行をなし、両切断面２７ａ，２７ｂ間の距離は計量部２１の外径よりも小とされる。両切欠部２７には、計量部２１の周壁部２１ｂのボトル上方側の一部が露出部２１ｄとして配置される。両露出部２１ｄのキャップ周方向の両側方には、それぞれ切断面２７ａ，２７ｂに沿う開栓側指掛り面２８Ａ及び閉栓側指掛り面２８Ｂが形成される。キャップ側螺合筒部２２のボトル下方側の開放端部２２ｄよりもボトル上方側において、キャップ内部空間がキャップ外面に開口することはない。計量キャップ２０は透明又は半透明に構成されており、両露出部２１ｄでは、周壁部２１ｂの内周面に刻印又は印字等により記された計量目盛をキャップ外方から視認可能である。計量キャップ２０は、少なくとも両露出部２１ｄが透明又は半透明に構成されていればよい。
【００２８】
図３中符号Ｗは切断面２７ａ，２７ｂと直交する方向から見たときの露出部２１ｄの幅を、符号Ｆは切断面２７ａ，２７ｂに沿う方向から見たときの外殻部２３の幅をそれぞれ示す。露出部２１ｄの幅Ｗは、視認性や成型時の抜き勾配等を考慮すると、少なくとも２ｍｍは確保することが望ましい。
【００２９】
図５を参照し、図中線Ｌ１はキャップ螺合筒部の上端角部と外殻部２３の外面とに接する接線を示し、図中線Ｒ１は接線Ｌ１と外殻部２３との接点Ｔ１を通過するキャップ周方向に沿う仮想円を示す（図２，図３参照）。両切欠部２７は仮想円Ｒ１を切り欠いており、キャップを接線Ｌ１に沿う平面上に載置した際の転がりを抑止する。計量キャップ２０の外面には、滑り止めのためのローレット（ナール）やリブが形成されてもよいが、少なくとも両露出部２１ｄの外面は、計量目盛を見易くするために平滑であることが望ましい。
【００３０】
また、図３に示すように、両切欠部２７には、互いに平行に延在するとともに、外殻部２３のキャップ周方向Ｅで開栓側と閉栓側のそれぞれに、上述した開栓側指掛り面２８Ｂ及び閉栓側指掛り面２８Ａが形成されている。閉栓側指掛り面２８Ａには、ローレット状の複数（図では２つ）の突起２９が形成されている。
【００３１】
突起２９は、キャップ高さ方向に延在し、図６に示すように突出高さＨが０．５ｍｍ以上、突出頂点の曲率半径ｒが０．５ｍｍ以下、かつ裾幅Ｄが１ｍｍ以下に設定されている。
また、突起２９の長さ寸法は、閉栓側指掛り面２８Ａに合わせて適宜設定することができるが、図示の例では、外殻部２３側の突起（符号２９Ａ）が切欠部２７の露出部２１ｄ側の突起（符号２９Ｂ）よりも短くなっている。
【００３２】
次に、上述したように構成された計量キャップ２０の作用について説明する。
図２に示すように、本実施の形態では、容器を使用した後に計量キャップ２０をキャップ周方向Ｅの閉栓側に回して閉める際に、外殻部２３の閉栓側指掛り面２８Ａに指が掛る。このとき、閉栓側指掛り面２８Ａに形成されるローレット状の突起２９が指に接触することになるので、計量キャップ２０を強く締めようとすると、指に突起２９が食い込み閉栓しようとする人に痛みを惹起させることが可能となり、指掛りを悪くすることができる。
そのため、計量キャップ２０の閉じる方向への回転操作がし難くなり、閉栓するときに過大なトルクの入力を防止することができる。つまり、計量キャップ２０の締め付け過ぎを抑えることができるので、次に使用する際において、容易に開栓することができる。
しかも突起２９は、突出高さが０．５ｍｍ以上、突出頂点の曲率半径が０．５ｍｍ以下、かつ裾幅が１ｍｍ以下となる形状であるので、確実な閉栓を行うことができるとともに、計量キャップ２０の締め過ぎをより確実に防止することができる。
【００３３】
一方で、計量キャップ２０を開栓側に回して開ける際には、切欠部２７の開栓側指掛り面２８Ｂに指が掛る。このとき、開栓側指掛り面２８Ｂには、閉栓側指掛り面２８Ａのように突起２９が形成されていないので、閉栓するときのように指に突起２９による痛みが与えられることがなく、十分に指掛りをすることが可能となり、開栓に必要なトルクを計量キャップ２０に入力することができる。
【００３４】
上述のように本実施の形態によるキャップでは、閉栓側指掛り面２８Ａに形成される突起２９により閉栓時の指に痛みを惹起させて指掛かりを悪くすることで、閉栓時における過大なトルクの発生を抑え、締め付け過ぎとなるのを抑制することができるという効果を奏する。
【００３５】
以上、本発明に係るキャップの実施の形態について説明したが、本発明は上記した実施の形態に限定されるものではなく、その趣旨を逸脱しない範囲で適宜変更可能である。
【００３６】
例えば、本実施の形態では、閉栓側指掛り面２８Ａに突起２９を形成した構成となっているが、これに限定されることはない。
例えば、図７に示す第１変形例による計量キャップ２０Ａのように、閉栓側指掛り面２８Ａの外殻部２３との間の境界稜線部２８ａに突起２９を設けることも可能である。この場合の突起２９は、前記境界稜線部２８ａの延在方向に沿って階段状に配置されている。
この場合、計量キャップ２０Ａを閉栓方向に強く回そうとする際に、指が当たり易い境界稜線部２８ａの角部に突起２９が形成されているので、より確実に指に痛みを惹起させることができる。そのため、指掛りを悪くすることができ、閉栓時に計量キャップ２０Ａに過大なトルクが生じるのを防止することができる。
【００３７】
また、図８に示す第２変形例による計量キャップ２０Ｂの閉栓側指掛り面２８Ａは、キャップ周方向Ｅで開栓側指掛り面２８Ｂ側の第１指掛り面２８Ａａと、外殻部２３側の第２指掛り面２８Ａｂとからなる。第２指掛り面２８Ａｂと外殻部２３との第１境界部２８ｂは、第１指掛り面２８Ａａと第２指掛り面２８Ａｂとの第２境界部２８ｃよりもキャップ周方向Ｅの閉栓側に位置している。そして、第２指掛り面２８Ａｂに長さ寸法が同じ複数（図では３つ）の突起２９が形成されている。
また、本第２変形例の第２指掛り面２８Ａｂは、曲面をなし、その曲面の大きさは、適宜設定することが可能であるが、例えば曲率半径で７ｍｍ以上の緩やかな曲面とすることができる。
【００３８】
この場合、計量キャップ２０Ｂを強く回そうとする際に、閉栓側に向けて傾く第２指掛り面２８Ａｂ側に指が当たり易くなる。その指が当たり易い第２指掛り面２８Ａｂに突起２９が形成されているので、より確実に指に痛みを惹起させることができる。
また、第２変形例では、第２指掛り面２８Ａｂが曲率半径で７ｍｍ以上の緩やかな曲面であるので、その第２指掛り面２８Ａｂで指が閉栓側に滑り易くなり、しかもその第２指掛り面２８Ａｂに突起２９が形成されているので、より確実に指に痛みを惹起させることができる。
そのため、指掛りを悪くすることができ、閉栓時に計量キャップ２０Ｂに過大なトルクが生じるのを防止することができる。
【００３９】
また、図９に示す第３変形例による計量キャップ２０Ｃのように、上記実施の形態の閉栓側指掛り面２８Ａに長さの短い突起２９が複数設けられていてもよい。なお、第３変形例では、計量キャップ２０Ｃの高さ方向にも複数の突起２９が配置されている。
【００４０】
ここで、上述した実施の形態による計量キャップ２０、第１〜第３変形例による計量キャップ２０Ａ〜２０Ｃにおいて、トルクメータに容器をセットし、計量キャップを閉栓する動作を行い、閉栓時のトルク値を比較した。なお、指による閉栓力の付与を停止する基準は、「指に痛みを感じた時点」、および「指が計量キャップに対して滑った時点」とした。
【００４１】
その結果、図２に示す実施の形態による計量キャップ２０では、トルク値が８０〜１０５ｃＮ・ｍとなった。図７に示す第１変形例による計量キャップ２０Ａでは、トルク値が８０〜１２５ｃＮ・ｍとなった。また、図８に示す第２変形例による計量キャップ２０Ｂでは、トルク値が６０〜９５ｃＮ・ｍとなった。そして、比較例として、境界面を有しない計量キャップの場合には、トルク値が１５０〜１８０ｃＮ・ｍとなった。
これらを使用性の評価として、高い方から順に優良、良好、不良とした場合、実施の形態の計量キャップ２０、及び第２変形例の計量キャップ２０Ｂは使用性の評価が優良であり、第１変形例の計量キャップ２０Ａが良好であり、比較例の計量キャップでは不良であること判定できる。
【００４２】
その他、本発明の趣旨を逸脱しない範囲で、上記した実施の形態における構成要素を周知の構成要素に置き換えることは適宜可能である。
【符号の説明】
【００４３】
１  計量キャップ付き容器（容器）
２  容器本体
３  口部
２０、２０Ａ、２０Ｂ、２０Ｃ  計量キャップ（キャップ）
２１  計量部（本体部）
２１ａ  蓋部
２１ｂ  周壁部
２２  キャップ側螺合筒部（回転係合部）
２３  外殻部
２７  切欠部
２８Ａ  閉栓側指掛り面
２８Ａａ  第１指掛り面
２８Ａｂ  第２指掛り面
２８Ｂ  開栓側指掛り面
２８ａ  境界稜線部
２９、２９Ａ、２９Ｂ  突起
【図１】
2015120520.tif 000003
【図２】
2015120520.tif 000004
【図３】
2015120520.tif 000005
【図４】
2015120520.tif 000006
【図５】
2015120520.tif 000007
【図６】
2015120520.tif 000008
【図７】
2015120520.tif 000009
【図８】
2015120520.tif 000010
【図９】
2015120520.tif 000011